(57)【特許請求の範囲】
【請求項１】
少なくとも１つのバット部（１）と、針幹部（２）の少なくとも片方の端に設けられたチーク（３）と、このチーク（３）から針背（９）よりも高い位置にある接続部（４）を介して設けられたフック（５）と、前記チーク（３）に軸支され旋回可能なラッチ（６）を有する丸編機用メリヤス針（７）において、
前記接続部（４）と前記フック（５）の間に凹部（８）を設けると共に、前記フック（５）の前記凹部（８）と接する内側壁（１０）の延長線と前記接続部（４）の上面（１１）の直線部分の延長線が形成する角度（α）を５５度よりも小としたことを特徴とする丸編機用メリヤス針。
【請求項２】
請求項１記載の丸編機用メリヤス針（７）において、前記凹部（８）を形成する曲線の半径（Ｒｂ）が０．２５ｍｍよりも小で、かつ、前記凹部（８）の最下点と前記接続部（４）の上面（１１）の直線部分との段差（Ｈ）が少なくとも０．０３ｍｍであることを特徴とする丸編機用メリヤス針。
【請求項３】
請求項２記載の丸編機用メリヤス針（７）において、前記凹部（８）を形成する曲線の半径（Ｒｂ）が０．１０〜０．２０ｍｍ、かつ、前記凹部（８）の最下点と前記接続部（４）の上面（１１）の直線部分との段差（Ｈ）が０．０４〜０．０６ｍｍであることを特徴とする丸編機用メリヤス針。
【請求項４】
請求項１ないし３の何れかに記載の丸編機用メリヤス針（７）において、前記凹部（８）を形成するために、前記凹部（８）の外側壁（１２）が前記接続部（４）の下面（１３）の最上部よりも前記針背（９）側に突起していることを特徴とする丸編機用メリヤス針。
【請求項５】
請求項１ないし４の何れかに記載の丸編機用メリヤス針（７）において、前記フック（５）の前記凹部（８）と接する前記内側壁（１０）の曲率半径（Ｒａ）が少なくとも１．０ｍｍであることを特徴とする丸編機用メリヤス針。
【請求項６】
請求項５記載の丸編機用メリヤス針（７）において、前記フック（５）の前記凹部（８）と接する前記内側壁（１０）の曲率半径（Ｒａ）が１．２〜１．８ｍｍであることを特徴とする丸編機用メリヤス針。
【請求項７】
請求項１ないし６の何れかに記載の丸編機用メリヤス針（７）において、前記フック（５）の前記凹部（８）と接する前記内側壁（１０）の延長線と前記接続部（４）の上面（１１）の直線部分の延長線が形成する角度が４０〜５０度であることを特徴とする丸編機用メリヤス針。
【発明の詳細な説明】
【技術分野】
【０００１】
本発明は、丸編機において使用されるメリヤス針（以下、単に「メリヤス針」という）に関するものである。
【背景技術】
【０００２】
従来のメリヤス針のフックは、丸フック、フックの中心が針背に近いリバースプレーティングフック、フックの中心が針背から遠いプレーティングフックの３種類に大別される。本発明は、その中の１つリバースプレーティングフックに関するものである。
【０００３】
従来のリバースプレーティングフックでは、２８ゲージや３２ゲージまたはそれ以上のファインゲージにおいて安定した二重ループ編地を編成することが困難であった。その問題を解決するため、下記特許文献１及び２では、新規な形状のフックを有するメリヤス針を提案している。
【０００４】
下記特許文献１のメリヤス針は、フック内に突起を形成し、地糸と添え糸を振り分ける構造になっている。
【０００５】
下記特許文献２のメリヤス針は、フック内に糸を分離して保持するための分離エッジを有する。
【特許文献１】実開平６−３３９８６
【特許文献２】特開２００１−３４８７６３
【発明の開示】
【発明が解決しようとする課題】
【０００６】
上記の特許文献１及び２のメリヤス針を製造するためには、フック内という微小な空間に突起やエッジを形成しなければならないが、そのような加工は技術的に困難であり、特別な加工が必要となる。また、従来のメリヤス針では、地糸と添え糸を意図した通りにフック内の位置に安定させることが困難であった。
【０００７】
本発明は、比較的に簡単な構造で、しかもファインゲージにおいて安定した二重ループ編地を編成することが可能な丸編機用メリヤス針を提供することを目的とする。
【課題を解決するための手段】
【０００８】
本発明の丸編機用メリヤス針は、少なくとも１つのバット部と、針幹部の少なくとも片方の端に設けられたチークと、このチークから針背よりも高い位置にある接続部を介して設けられたフックと、前記チークに軸支され旋回可能なラッチを有する丸編機用メリヤス針において、  前記接続部と前記フックの間に凹部を設けると共に、前記フックの前記凹部と接する内側壁の延長線と前記接続部の上面の直線部分の延長線が形成する角度αを５５度よりも小としたことを特徴とする。
【発明の効果】
【０００９】
本発明は、丸編機用メリヤス針のフックの根元に凹部を設け、かつ、地糸が凹部に確実に案内されるようにフック内側壁を直線に近い状態にして角度を付けている。そのため、先にフック内に入る地糸は凹部に案内され、遅れてフック内に入る添え糸との距離が離されるので、安定した二重ループ編地を編成することができる。
【００１０】
本発明によれば、後記比較実験で記載するように、従来技術針では困難であった二重ループ編地（例えば、綿８０番手とポリウレタン弾性糸２２デシテックスの二重ループ編地）もきれいに編成することができた。
【発明を実施するための最良の形態】
【００１１】
本発明では、メリヤス針のフック内に凹部を設け、針がステッチすることによって、上側から給糸されフック内に先に入ってくる地糸が凹部に確実に案内されるように、フック内側壁を直線に近い状態にして、かつ、フックと接続部とが形成する角度が鋭角になるようにする。
【００１２】
前記凹部は、フック内を糸が滑らかに移動できる範囲内で、接続部の上面よりもできるだけ大きく凹ませることが好ましい。そのように構成することにより、地糸と添え糸の距離を離すことができるからである。前記凹部と前記接続部の上面との段差、すなわち凹み量は少なくとも０．０３ｍｍあることが好ましく、より好ましくは０．０４〜０．０６ｍｍ、特に０．０５ｍｍが好ましい。凹部を形成する曲線の半径は０．２５ｍｍよりも小であることが好ましく、より好ましくは０．１０〜０．２０ｍｍ、特に０．１５ｍｍ程度が好ましい。
【００１３】
前記フックの前記内側壁は、フック内を糸が滑らかに移動できる範囲内で、直線に近い状態にすることが好ましい。そのように構成することにより、地糸が凹部に確実に案内されるようになるからである。前記フックの前記内側壁の半径は少なくとも１．０ｍｍあることが好ましく、より好ましくは１．２〜１．８ｍｍ、特に１．５ｍｍ程度が好ましい。前記フックの前記内側壁が接続部の上面と形成する角度は５５度よりも小とすることが必須で、好ましくは、４０〜５０度、特に４５度程度が好ましい。
【実施例１】
【００１４】
以下、添付の図面に基づき、本発明の実施例を説明する。
【００１５】
図１は、本発明第１実施例のメリヤス針７の全体図である。図２は、そのフックの拡大図である。図３は、このメリヤス針を使用した編成過程を示す斜視図である。
【００１６】
図１に示すように、本発明のメリヤス針７も従来のメリヤス針と同様に基本的な構成部品として、針頭部Ａと、針幹部２と、少なくとも１つのバット１と、針後端部１６が設けられている。
【００１７】
図２に示すように、針頭部Ａは、フック５と、フック５を開閉させるラッチ６と、ラッチ６を旋回可能に軸支するチーク３と、チーク３とフック５の間を接続する接続部４からなる。接続部４は、針背９よりも少し高い位置にある。
【００１８】
本発明の特徴は、接続部４とフック５の間に凹部８を設けるとともに、フック５の内側壁１０が接続部４の上面１１と形成する角度αを５５度よりも小としたことである。
【００１９】
凹部８を形成するために、凹部８の外側壁１２は接続部４の下面１３よりも針背９側に突起させている。
【００２０】
さらに、フック５の内側壁１０の半径Ｒａを少なくとも１．０ｍｍ、かつ、凹部８を形成する曲線の半径Ｒｂを０．２５ｍｍよりも小、かつ、凹部８と接続部４の上面１１との段差Ｈを少なくとも０．０３ｍｍとしている。
【００２１】
このようにして形成されたメリヤス針７を使用すると、図３に示すように、地糸１４は上から給糸され、先にフック５内に入り、メリヤス針７が矢印Ｐの方向に移動しながら下降していくと、フック内側壁１０によって確実に凹部８に案内される。添え糸１５は下側から給糸され、遅れてフック内に入ってくる。したがって、本発明によるメリヤス針を使用することによって、地糸と添え糸の距離を離すことができる。
【００２２】
従来針と本発明針を使用して、効果確認実験をおこなった。編成条件は次のとおりである。ここで使用した「従来針」とは、本発明の特徴を有さない点のみで本発明針と相違する針である。
使用した編機：（株〉福原精機製作所のＯＤ２−ＶＸＣ−３ＦＡ、３４インチ、３６ゲ
ージ機
使用したメリヤス針：従来のメリヤス針と本発明によるメリヤス針
使用した糸：綿８０／１番手（糸長は２４０ｍｍ／１００ウエール）、ポリウレタン弾性糸２２デシテックス（糸長は８２ｍｍ／１００ウエール）
編成した編地：二重ループ編地
【００２３】
本願発明のメリヤス針による編地と従来針による編地の拡大写真をそれぞれ図４（ａ）、４（ｂ）として示す。従来のメリヤス針を使用した編地（図４（ｂ））では、中央部において水平にループが凹んだような部分がある。これはミスプレーティングしている部分であり、綿糸とポリウレタン弾性糸（ライクラ（登録商標）やロイカ（登録商標）など）がフック内で入れ替わってしまったために凹んだように見えるのである。本願発明のメリヤス針による編地（図４（ａ））ではそのような編み傷はなく、きれいに編成することができた。
【図面の簡単な説明】
【００２４】
【図１】本発明第１実施例の丸編機用メリヤス針の全体図である。
【図２】本発明第１実施例のフック拡大図である。
【図３】本発明第１実施例における編成工程図である。
【図４（ａ）】本願発明のメリヤス針による編地の拡大写真である。
【図４（ｂ）】従来針による編地の拡大写真である。
【符号の説明】
【００２５】
１     バット
２     針幹部
３     チーク
４     接続部
５     フック
６     ラッチ
７     メリヤス針
８     凹部
９     針背
１０   フック内側壁
１１   上面
１２   外側壁
１３   下面
１４   地糸
１５   添え糸
１６   針後端部
Ｈ     段差
Ｒａ   半径
Ｒｂ   半径
α     角度
【図１】
0005300252.tif 000002
【図２】
0005300252.tif 000003
【図３】
0005300252.tif 000004
【図４（ａ）】
0005300252.tif 000005
【図４（ｂ）】
0005300252.tif 000006